(57)【要約】【課題】作業上の安全性を向上させたロール体の支持構造を提供する。【解決手段】ロール体の支持構造１は、ロール体４０Ａの軸芯４０に嵌め込まれるコーン１０と、コーン１０を支持するコーン軸２０と、コーン軸駆動部３０とを備える。コーン１０はコーン軸２０に対して摺動可能となっており、コーン１０とコーン軸２０との間に軸線方向に沿って伸縮する圧縮バネ１４が介在されている。【選択図】図１
2019048688.tif 000002
【特許請求の範囲】
【請求項１】
軸芯を含むロール体を支持するロール体の支持構造において、
少なくとも前記ロール体の軸芯の一端部に嵌め込まれるコーンと、
前記コーンを支持するコーン軸と、
前記コーン軸を軸線方向に移動させるコーン軸駆動部とを備え、
前記コーンは前記コーン軸に対して摺動可能となっており、かつ前記コーンと前記コーン軸との間に軸方向に沿って伸縮する圧縮バネが介在されている、ロール体の支持構造。
【請求項２】
前記コーン軸と前記コーンとの間にキーが介在され、前記コーン軸と前記コーンに、前記キーが嵌め込まれる第１キー溝と第２キー溝が各々設けられている、請求項１記載のロール体の支持構造。
【請求項３】
前記第１キー溝または前記第２キー溝は前記キーとの間で摺動する摺動キー溝となっており、
前記キーの前記摺動キー溝側の面に軸線方向に延びる細長状溝が設けられ、前記摺動キー溝に、前記細長状溝に係合する突起が設けられている、請求項２記載のロール体の支持構造。
【請求項４】
前記コーンの後端部に、前記圧縮バネを収納する収納穴が形成されている、請求項１乃至３のいずれか記載のロール体の支持構造。
【請求項５】
前記コーン軸に、前記収納穴から突出する圧縮バネを外方から円周状に覆う周状カバーが設けられている、請求項４記載のロール体の支持構造。
【発明の詳細な説明】
【技術分野】
【０００１】
本発明は、印刷機、コーター等の紙、フイルム等のウェブを取り扱う装置の繰出部或いは巻取部、あるいは印刷機の版胴等からなるロール体を支持するためのロール体の支持構造に関する。
【背景技術】
【０００２】
従来より、印刷機、コータ等で使用される、紙、フイルム等のウェブを巻いたロール体、あるいは印刷機の版胴等のロール体を支持するものとして、少なくともロール体軸芯の一端部に嵌め込まれるコーンと、コーンを支持するコーン軸と、コーン軸を軸線方向に駆動するコーン軸駆動部とを備えたロール体の支持構造が知られている。
【０００３】
このようなロール体の支持構造において、コーン軸駆動部によりコーン軸が軸線方向に駆動され、このことによりコーン軸に支持されたコーンがロール体の軸芯の一端部に嵌め込まれて、ロール体のチャッキングが終了する。
【０００４】
ところが、この構成では、コーン軸が軸線方向に駆動されると、コーン軸はコーンのチャッキング終了まで停止することなく移動を続けることになり、ロール体の軸芯近傍の作業者にとって安全性に問題が生じている。
【先行技術文献】
【特許文献】
【０００５】
【特許文献１】特開平８−３４５４５号公報
【発明の概要】
【発明が解決しようとする課題】
【０００６】
本発明はこのような点を考慮してなされたものであり、作業上の安全性を高めることができるロール体の支持構造を提供することを目的とする。
【課題を解決するための手段】
【０００７】
本発明は、軸芯を含むロール体を支持するロール体の支持構造において、少なくとも前記ロール体の軸芯の一端部に嵌め込まれるコーンと、前記コーンを支持するコーン軸と、前記コーン軸を軸線方向に移動させるコーン軸駆動部とを備え、前記コーンは前記コーン軸に対して摺動可能となっており、かつ前記コーンと前記コーン軸との間に軸線方向に沿って伸縮する圧縮バネが介在されている、ロール体の支持構造である。
【０００８】
本発明は、前記コーン軸と前記コーンとの間にキーが介在され、前記コーン軸と前記コーンに、前記キーが嵌め込まれる第１キー溝と第２キー溝が各々設けられている、ロール体の支持構造である。
【０００９】
本発明は、前記第１キー溝または前記第２キー溝は前記キーとの間で摺動する摺動キー溝となっており、前記キーの前記摺動キー溝側の面に軸線方向に延びる細長状溝が設けられ、前記摺動キー溝に、前記細長状溝に係合する突起が設けられている、ロール体の支持構造である。
【００１０】
本発明は、前記コーンの後端部に、前記圧縮バネを収納する収納穴が形成されている、ロール体の支持構造である。
【００１１】
本発明は、前記コーン軸に、前記収納穴から突出する圧縮バネを外方から円周状に覆う周状カバーが設けられている、ロール体の支持構造である。
【発明の効果】
【００１２】
以上のように本発明によれば、作業上の安全性を高めることができる。
【図面の簡単な説明】
【００１３】
【図１】図１は本発明によるロール体の支持構造を示す側断面図。
【図２】図２は本発明によるロール体の支持構造を示す部分断面図。
【図３】図３は図１のＡ線方向矢視図。
【図４】図４はコーン軸を示す上面図。
【図５Ａ】図５Ａは周状カバーを示す部分側断面図。
【図５Ｂ】図５Ｂは周状カバーを示す正面図。
【図６Ａ】図６Ａはコーン軸に取付けられたキーを示す上面図。
【図６Ｂ】図６Ｂはコーン軸に取付けられたキーを示す側面図。
【図７】図７はキーの細長状溝に係合する突起を示す図。
【図８Ａ】図８Ａはコーンを示す側断面図。
【図８Ｂ】図８Ｂは図８ＡのＢ線方向矢視図。
【図８Ｃ】図８Ｃは図８ＡのＣ線方向矢視図。
【図９Ａ】図９Ａは本発明の作用を示す図。
【図９Ｂ】図９Ｂは本発明の作用を示す図。
【図９Ｃ】図９Ｃは本発明の作用を示す図。
【図９Ｄ】図９Ｄは本発明の作用を示す図。
【図１０Ａ】図１０Ａは本発明の変形例によるロール体の支持構造を示す側断面図。
【図１０Ｂ】図１０Ｂは本発明の変形例によるコーン軸を示す拡大上面図。
【発明を実施するための形態】
【００１４】
以下、図面を参照して本発明の実施の形態について説明する。
【００１５】
＜本発明の実施の形態＞
図１〜図９Ａ乃至図９Ｄは本発明によるロール体の支持構造を示す図である。
【００１６】
図９Ａ乃至図９Ｄに示すように、本発明によるロール体の支持構造１は、軸芯４０を含むロール体４０Ａ、例えば印刷機、コータ等で用いられる紙、フィルム等のウェブ４１を軸芯４０に巻き取ってなるロール体４０Ａを支持するものである。なおロール体４０Ａとして印刷機の版胴を用いてもよい。
【００１７】
このようなロール体の支持構造１は、図１乃至３に示すように、少なくともロール体４０Ａの軸芯４０の一端部４０ａ内に嵌め込まれるコーン１０と、コーン１０を支持するコーン軸２０と、コーン軸２０を軸線方向に移動させるよう駆動するコーン軸駆動部３０とを備えている。またコーン軸駆動部３０により駆動されるコーン軸２０は、コーン軸案内機構３１により保持されかつこのコーン軸案内機構３１に沿って案内される。
【００１８】
また、コーン１０はコーン軸２０の先端部外周に半径方向外方から嵌め込まれており、またコーン１０はコーン軸２０に対して軸線方向に摺動可能となっている。さらにコーン１０とコーン軸２０との間に軸線方向に沿って伸縮する圧縮バネ１４が介在されている。
【００１９】
上述のようにコーン１０とコーン軸２０は軸線方向に互いに摺動可能となっているが、円周方向にはキーとキー溝構造により堅固に固定されている。
【００２０】
すなわち図１、図２、図４、図６Ａおよび図６Ｂに示すように、コーン１０とコーン軸２０との間にキー２６が介在されており、このキー２６はコーン軸２０に形成されたキー溝（第１キー溝）２２内に嵌め込まれている（図４参照）。またキー溝２２内に嵌め込まれたキー２６は、キー溝２２内に取付ボルト２６ｂにより固定されている。この場合、取付ボルト２６ｂは、キー２６の取付ボルト穴２６ｃを貫通して、キー溝２２まで達してキー２６を固定する（図６Ａおよび図６Ｂ参照）。他方、コーン１０側には、キー２６が嵌め込まれるキー溝（第２キー溝）１２が形成され、このキー溝１２はこのキー溝１２内をキー２６が摺動する摺動キー溝となっている。
【００２１】
また図６Ａ、図６Ｂおよび図７に示すように、キー２６のうちキー溝１２側の面に軸線方向に延びる細長状溝２６ａが形成され、これに対してキー溝１２側には、キー２６の細長状溝２６ａに係合する突起１６が設けられている（図７参照）。上述のようにコーン１０とコーン軸２０は軸線方向に互いに摺動可能となっているが、キー２６の細長状溝２６ａと、この細長状溝２６ａに係合する突起１６とにより、コーン１０とコーン軸２０の軸線方向の移動可能範囲が規定される。このため、キー２６の細長状溝２６ａの長手方向長さから突起１６の直径の長さを引いた距離が、コーン１０とコーン軸２０の軸線方向の移動可能範囲となる。
【００２２】
またコーン１０の後端部側の端面に、圧縮バネ１４を収納する複数、例えば２つの収納穴１４ａが形成され、この収納穴１４ａ内に圧縮バネ１４が収納されている（図８Ａおよび図８Ｂ参照）。なお図８Ａおよび図８Ｂにおいて、コーン１０の後端部側の端面には、２つの収納穴１４ａに加えて、後述する周状カバー２４を取付ける取付ボルト２５の頭部を収納する４つの収納穴１４ｂも形成されている。また図８Ａおよび図８Ｃに示すように、コーン１０はその断面が先端側に向かって先細形状となっており、その外周面には軸線方向に沿って軸芯４０の一端部４０ａ内面に係合する複数の突出リブ１１が設けられている。
【００２３】
ところで、図４に示すように、コーン軸２０は軸本体２０ａと、軸本体２０ａの先端側に位置するとともに軸本体２０ａより小径の先端部２０ｂとを有し、軸本体２０ａと先端部２０ｂとの間に段部２０ｃが形成されている。そしてコーン１０はコーン軸２０の先端部２０ｂ外周に嵌め込まれている。さらにまた、コーン軸２０の段部２０ｃには、収納穴１４ａに収納された圧縮バネ１４が外方に突出した際、この圧縮バネ１４を外方から円周状に囲む周状カバー２４が設けられている。
【００２４】
すなわち収納穴１４ａ内に収納された圧縮バネ１４は、圧縮状態において収納穴１４ａ内に収まっており、伸長状態において収納穴１４ａから外方へ突出する。この場合、収納穴１４ａから突出する圧縮バネ１４は、上記の周状カバー２４により外方から覆われる。
【００２５】
なお周状カバー２４は、図５Ａおよび図５Ｂに示すように、圧縮バネ１４を外方から覆う円筒状のカバー本体２４ａと、カバー本体２４ａの端部に連結されたリング状の取付部２４ｂとを有している。そしてこの取付部２４ｂに形成された開口２５ａに取付ボルト２５を挿入し、取付ボルト２５をコーン軸２０の段部２０ｃに締付けることにより、周状カバー２４をコーン軸２０の段部２０ｃに取付けることができる。また取付ボルト２５の頭部はコーン１０の収納穴１４ｂ内に収納可能となっている。
【００２６】
次にこのような構成からなる本実施の形態の作用について図９Ａ乃至図９Ｄにより説明する。
【００２７】
まず、軸芯４０にウェブ４１を巻き取ってなるロール体４０Ａを準備し、このロール体４０Ａをロール体の支持構造１近傍へもってくる。なお、ロール体４０Ａとして印刷機の版胴を準備してもよい。
【００２８】
次に図９Ａに示すように、コーン軸駆動部３０によりコーン軸２０を軸線方向に沿って駆動する。この時、コーン軸２０はコーン軸案内機構３１により保持されかつ案内されて、ロール体４０Ａの軸芯４０側（図９Ａの右方向）へ移動する。また、コーン軸駆動部３０は、エアシリンダによりコーン軸２０を駆動する。
【００２９】
次に図９Ｂに示すように、コーン軸２０が更に軸芯４０の一端部４０ａまで右方向へ移動して、一端部４０ａ側へ接近する。
【００３０】
次に図９Ｃに示すように、コーン１０の先端部が軸芯４０の一端部４０ａ内に入り込み、コーン１０の外周面に形成された突出リブ１１が一端部４０ａ内面に嵌め込まれる。
【００３１】
この間、コーン１０の収納穴１４ａ内に収納された圧縮バネ１４は伸長状態にあり、圧縮バネ１４のうち収納穴１４ａから外方へ突出する部分は周状カバー２４により外方から覆われている。
【００３２】
また、コーン１０は軸芯４０と当接して停止するが、コーン軸２０はコーン軸駆動部３０により引き続き図９Ｃの右方向へ移動し、圧縮バネ１４は圧縮されて収納穴１４ａ内へ収納される。
【００３３】
このようにしてコーン軸２０とコーン１０は互いに接近する方向に摺動し、コーン１０の後端部はコーン軸２０の段部２０ｃに当接する。同時にコーン軸２０側に設けられた周状カバー２４の取付ボルト２５の頭部は、コーン１０の収納穴１４ｂ内に収納される。
【００３４】
このようにコーン軸２０が右方へ移動する間、例えばコーン１０と軸芯４０との間に作業者の手あるいは何かものが挟まっても、コーン１０とコーン軸２０との間に圧縮バネ１４が介在されているため、この圧縮バネ１４を縮めて容易かつ安全にコーン１０と軸芯４０との間に挟まった物を引き抜くことができ、作業上の安全性を高めることができる。
【００３５】
次に図９Ｄに示すように、コーン軸２０が、コーン１０が軸芯４０をチャッキングする位置まで達すると、コーン軸駆動部３０はコーン軸２０の駆動を停止するが、コーン軸２０に対してコーン軸駆動部３０から所定の押圧力がかかり続ける。このときコーン１０の外周面に形成された突出リブ１１が軸芯４０の一端部４０ａ内面に堅固に嵌め込まれ、コーン１０は軸芯４０の一端部４０ａに堅固に固定される。
【００３６】
以上のように本実施の形態によれば、コーン軸２０が図９Ａ乃至図９Ｄにおいて右方へ移動する間、コーン１０と軸芯４０との間に作業者の手あるいはものが挟まっても、圧縮バネ１４を圧縮させることによりコーン１０と軸芯４０との間を拡げて、容易かつ簡単に作業者の手あるいはものを引き抜くことができ、作業上の安全性を高めることができる。
【００３７】
＜本発明の変形例＞
次に図１０Ａおよび図１０Ｂにより、本発明の変形例について述べる。
すなわち図１０Ａおよび図１０Ｂに示すように、コーン１０とコーン軸２０との間にキー２６が介在されており、このキー２６はコーン１０に形成されたキー溝（第２キー溝）１２内に嵌め込まれている（図１０Ａおよび図１０Ｂ参照）。またキー溝１２内に嵌め込まれたキー２６は、キー溝１２内に取付ボルト２６ｂにより固定されている。この場合、取付ボルト２６ｂは、コーン１０を貫通して、キー２６まで達してキー２６を固定する。他方、コーン軸２０側には、キー２６が嵌め込まれるキー溝（第１キー溝）２２が形成され、このキー溝２２はこのキー溝２２内をキー２６が摺動する摺動キー溝となっている。
【００３８】
また図１０Ａおよび図１０Ｂに示すように、キー２６のうちキー溝２２側の面に軸線方向に延びる細長状溝２６ａが形成され、これに対してキー溝２２側には、キー２６の細長状溝２６ａに係合する突起１６が設けられている。上述のようにコーン１０とコーン軸２０は軸線方向に互いに摺動可能となっているが、キー２６の細長状溝２６ａと、この細長状溝２６ａに係合する突起１６とにより、コーン１０とコーン軸２０の軸線方向の移動可能範囲が規定される。このため、キー２６の細長状溝２６ａの長手方向長さから突起１６の直径の長さを引いた距離が、コーン１０とコーン軸２０の軸線方向の移動可能範囲となる。
【符号の説明】
【００３９】
１  ロール体の支持構造
１０  コーン
１２  キー溝
１４  圧縮バネ
１４ａ  収納穴
１６  突起
２０  コーン軸
２２  キー溝
２４  周状カバー
２６  キー
２６ａ  細長状溝
３０  コーン軸駆動部
【図１】
2019048688.tif 000003
【図２】
2019048688.tif 000004
【図３】
2019048688.tif 000005
【図４】
2019048688.tif 000006
【図５Ａ】
2019048688.tif 000007
【図５Ｂ】
2019048688.tif 000008
【図６Ａ】
2019048688.tif 000009
【図６Ｂ】
2019048688.tif 000010
【図７】
2019048688.tif 000011
【図８Ａ】
2019048688.tif 000012
【図８Ｂ】
2019048688.tif 000013
【図８Ｃ】
2019048688.tif 000014
【図９Ａ】
2019048688.tif 000015
【図９Ｂ】
2019048688.tif 000016
【図９Ｃ】
2019048688.tif 000017
【図９Ｄ】
2019048688.tif 000018
【図１０Ａ】
2019048688.tif 000019
【図１０Ｂ】
2019048688.tif 000020